(57)【要約】【課題】  装着が容易で体型などにも適合も容易で膝関節の動きの固定や制限ができ、動物が容易に外すことができないように保持させることができる。【解決手段】膝部の屈伸を禁止又は制限する膝装具部２０を胴体装着部３０に連係して保持し、胴体装着部３０が、頭部付け根付近から臀部に向けて背中側に配置される背部装着部３１と、背部装着部を前足に近接する胴体に装着する背部装着部の連係部３２と、 膝装具部２０が、大腿部の周りに筒状に配置される大腿部装着２１と、下腿部の周りに筒状に配置される下腿部装着部２２と、大腿部装着部２１と下腿部装着部２２とを架橋して連結する連結部２３ａ，２３ｂ、膝関節に対応する位置に形成されたヒンジ部２３ｃを備えた連結部材２３とを備え、大腿部装着部２１を背部装着部３１の後端に着脱自在に係合して連係させる大腿部装着部の連係部２４を設けた。【選択図】図７
2011161065.tif 000002
【特許請求の範囲】
【請求項１】
動物の患足の膝部にその屈伸を禁止又は制限する膝装具部を胴体に装着された胴体装着部に連係して保持する動物用装具であって、
前記胴体装着部が、動物の頭部の付け根付近から臀部に向けて背中側に配置される背部装着部と、当該背部装着部を少なくとも前足に近接する胴体又は前足又は首部の少なくとも１つに連係させる背部装着部の連係部とを備え、
前記膝装具部が、その端部で着脱自在に係合されて大腿部の周りに筒状に配置される大腿部装着部と、その端部で着脱自在に係合されて下腿部の周りに筒状に配置される下腿部装着部と、前記大腿部装着部と前記下腿部装着部とを架橋して連結する連結部及び膝関節に対応する位置に形成されたヒンジ部を備えた連結部材とを備え、
前記膝装着具部の大腿部装着部を前記胴体装着部の背部装着部の後端に着脱自在に係合して連係させる大腿部装着部の連係部を設けたことを特徴とする動物用装具。
【請求項２】
前記大腿部装着部又は前記下腿部装着部の少なくとも一つが、周方向に複数個に分割されて形成され、隣接する各端部が着脱自在に係合させられ筒状に形成されて前記大腿部又は下腿部の少なくとも一つの周りに配置されることを特徴とする請求項１記載の動物用装具。
【請求項３】
前記連結部材の連結部がその長さ寸法が調整可能な構造となっていることを特徴とする請求項１記載の動物用装具。
【請求項４】
患足に隣接する健足に装着される健足装着部と、当該健足装着部を前記背部装着部の後端に連係する健足装着部の連係部とを備えたことを特徴とする請求項１記載の動物用装具。
【請求項５】
前記大腿部装着部の連係部とは別の部材からなり、健足側の胴体側面に位置する前記背部装着部の連係部から胴体に対して斜めに交差し腹部を経由して前記大腿部装着部に至り連係させられる交差部と、当該交差部の中間部から前記背部装着部に至り連係させられる吊り部とを備える大腿部装着部の保持部を付設したことを特徴とする請求項１記載の動物用装具。
【請求項６】
前記ヒンジ部が、前記各連結部を揺動自在に連係する軸支部と、各連結部の揺動を禁止する場合に使用する揺動禁止設定部と各連結部の所望の揺動を許容する場合に使用する揺動規制設定部とを備えたことを特徴とする請求項１記載の動物用装具。
【請求項７】
動物の患足の膝部にその屈伸を禁止又は制限する膝装具部を胴体に装着された胴体装着部に連係して保持する動物用装具であって、
前記胴体装着部が、前記背部装着部が、健足側の胴体の面から臀部に向けて動物の胴体に対して斜めに交差するように配置される背部装着部と、当該背部装着部を少なくとも前足に近接する胴体又は前足又は首部の少なくとも１つに連係させる背部装着部の連係部とを備え、
前記膝装具部が、その端部で着脱自在に係合されて大腿部の周りに筒状に配置される大腿部装着部と、その端部で着脱自在に係合されて下腿部の周りに筒状に配置される下腿部装着部と、前記大腿部装着部と前記下腿部装着部とを架橋して連結する連結部及び膝関節に対応する位置に形成されたヒンジ部を備えた連結部材とを備え、
前記膝装着具部の大腿部装着部を前記胴体装着部の背部装着部の後端に着脱自在に係合して連係させる大腿部装着部の連係部を設けたことを特徴とする動物用装具。
【発明の詳細な説明】
【技術分野】
【０００１】
本発明は、犬や猫などの四足歩行の動物を対象とした、患足の膝関節の動きを固定したり所望の可動範囲に制限したりするために使用される動物用装具に関する。
【背景技術】
【０００２】
人間の医療行為としては、人間の膝関節の動きを固定したり制限したりすることは一般的に行われているが、獣医学的な見地から動物の膝関節の動きを固定したり制限したりするために、動物に膝装具部を着用させるということは考えられてはいない。
【０００３】
人間用のコルセットの例としては、膝部分を覆うように形成された筒状の保持部材を備えたものがある（特許文献１参照）。
【先行技術文献】
【特許文献】
【０００４】
【特許文献１】実公平０４−００２６５４号
【発明の概要】
【発明が解決しようとする課題】
【０００５】
しかしながら、動物の場合は、人間の場合と異なり、膝装具部を装着しても動物が嫌がって自ら取り外してしまうことが予想される。
【０００６】
本発明は、かかる事情に鑑みてなされたもので、第１の目的は、動物への装着が容易で、動物の体型の違いなどにも容易に適合させ、効果的に膝関節の動きを固定したり制限したりすることができる動物用装具を提供することにある
【０００７】
本発明の第２の目的は、動物が嫌がって外してしまおうとしても、容易に外すことができないように動物の胴体などにしっかりと保持させることができる動物用装具を提供することにある。
【課題を解決するための手段】
【０００８】
上記課題を解決するために、本発明では、以下のような手段を採用した。
（１）動物の患足の膝部にその屈伸を禁止又は制限する膝装具部を胴体に装着された胴体装着部に連係して保持する動物用装具であって、前記胴体装着部が、動物の頭部の付け根付近から臀部に向けて背中側に配置される背部装着部と、当該背部装着部を少なくとも前足に近接する胴体又は前足又は首部の少なくとも１つに連係させる背部装着部の連係部とを備え、前記膝装具部が、その端部で着脱自在に係合されて大腿部の周りに筒状に配置される大腿部装着部と、その端部で着脱自在に係合されて下腿部の周りに筒状に配置される下腿部装着部と、前記大腿部装着部と前記下腿部装着部とを架橋して連結する連結部及び膝関節に対応する位置に形成されたヒンジ部を備えた連結部材とを備え、前記膝装着具部の大腿部装着部を前記胴体装着部の背部装着部の後端に着脱自在に係合して連係させる大腿部装着部の連係部を設けた。
（２）前記大腿部装着部又は前記下腿部装着部の少なくとも一つが、周方向に複数個に分割されて形成され、隣接する各端部が着脱自在に係合させられ筒状に形成されて前記大腿部又は下腿部の少なくとも一つの周りに配置される。
（３）前記連結部材の連結部がその長さ寸法が調整可能な構造となっている。
（４）患足に隣接する健足に装着される健足装着部と、当該健足装着部を前記背部装着部の後端に連係する健足装着部の連係部とを備えた。
（５）前記大腿部装着部の連係部とは別の部材からなり、健足側の胴体側面に位置する前記背部装着部の連係部から胴体に対して斜めに交差し腹部を経由して前記大腿部装着部に至り連係させられる交差部と、当該交差部の中間部から前記背部装着部に至り連係させられる吊り部とを備える大腿部装着部の保持部を付設した。
（６）前記ヒンジ部が、前記各連結部を揺動自在に連係する軸支部と、各連結部の揺動を禁止する場合に使用する揺動禁止設定部と各連結部の所望の揺動を許容する場合に使用する揺動規制設定部とを備えた。
（７）前記胴体装着部が、前記背部装着部が、健足側の胴体の面から臀部に向けて動物の胴体に対して斜めに交差するように配置される背部装着部と、当該背部装着部を少なくとも前足に近接する胴体又は前足又は首部の少なくとも１つに連係させる背部装着部の連係部とを備えた。
【発明の効果】
【０００９】
（１）動物の患足膝部に膝装着具部を取り付けて膝部の屈伸を禁止又は制限することができ、動物の胴体に胴体装着部を装着し胴体装着部に膝装具部を係合して保持することができる。しっかりと動物の胴体に胴体装着部を装着でき、膝装着具部をしっかりと動物の膝部に装着することができる。膝装具部は、大腿部装着部及び下腿部装着部の周りに筒状に配置されるので、大腿部及び下腿部にしっかりとフィットさせられ、連結部材により膝部の屈伸を禁止又は制限することができる。膝装着具部の大腿部装着部は大腿部装着部の連係部を介して胴体装着部の背部装着部の後端に着脱自在に係合させられ、しっかりと膝装着具部を胴体装着部に取り付けることができ、装着位置を動物に体型などに応じて適宜調整することができる。
（２）大腿部装着部又は下腿部装着部の少なくとも一つは、周方向に複数個に分割されて形成され、隣接する各端部が着脱自在に係合させ筒状に形成して前記大腿部又は下腿部の少なくとも一つの周りに配置されるようにしたものでは、複数箇所で係合させることができ、装着の容易性を高めることでき、微妙な寸法調整や位置調整を行うことができる。
（３）連結部材の連結部がその長さ寸法が調整自在となっているものでは、一つの連結部材により寸法の調整を行うことができ、同一種類の動物の個体差への対応や、異なる種類の動物（例えば、大型犬と中型犬）への対応を共通の部品で行うことができる。
（４）患足に隣接する健足に健足装着部を配置し、当該健足装着部を健足装着部の連係部により背部装着部の後端に連係したものでは、胴部装着部の背部装着部が患足側に引っ張られた場合でも、健足装着部と健足装着部の連係部とにより患足側に引っ張られることに対する抵抗力を発揮させることができ、背部装着部の移動や膝装着具部の緩みやずり落ちなどを防止することができる。
（５）交差部を健足側の胴体側面の位置する背部装着部の連係部から胴体に対して斜めに交差し腹部を経由して大腿部装着部に至らせ、更に、吊り部を交差部の中間部から背部装着部に至らせ、それぞれ係合させたものでは、膝装着具部がずり落ちて胴部装着部の背部装着部が患足側に引っ張られた場合でも、交差部及び吊り部により患足側に引っ張られることに対する抵抗力を発揮させることができ、背部装着部の移動や膝装着具部の緩みやずり落ちなどを防止することができる。
（６）ヒンジ部の軸支部により各連結部は揺動自在に連係させられ、ヒンジ部の揺動禁止設定部により各連結部の揺動を禁止することができ、ヒンジ部の揺動規制設定部により所望の揺動範囲に許容することができる。
（７）背部装着部が健足側の胴体の側面から臀部に向けて動物の胴体に対して斜めに交差するように配置されているものでは、背部装着部を動物の胴体に対して斜めに配置して大腿部装着部を斜めに引っ張り上げるように保持することができ、膝装着具部の緩みやずり落ちなどを有効に防止することができる。
【図面の簡単な説明】
【００１０】
【図１】本発明の実施の一形態に係る動物用装具の全体を示す図である。
【図２】図１の動物用装具に使用される部品を表面（外面）から見た状態を示す図である。
【図３】図２に示す部品を裏面（内面）から見た状態を示す図である。
【図４】図１の動物用装具に使用される部品を示す図である。
【図５】図１の動物用装具に使用される部品を示す図である。
【図６】図４及び図５に示した部品を組み合わせて使用可能な状態とした状態を示す図である。
【図７】図１に示した動物用装具の使用状態を示す図である。
【図８】本発明の実施の一形態に係る動物用装具に使用される部品の他の例を示す図である。
【図９】本発明の実施の一形態に係る動物用装具に使用される部品の他の例を示す図である。
【図１０】図８及び図９に示した部品を組み合わせて使用可能な状態とした状態を示す図である。
【図１１】本発明の実施の他の形態に係る動物用装具に使用される部品を表面（外面）から見た状態を示す図である。
【図１２】図１１に示す部品を裏面（内面）から見た状態を示す図である。
【図１３】図１１に示した部品を使用した動物用装具の使用状態を示す図である。
【図１４】本発明の実施の更に他の形態に係る動物用装具に使用される部品を表面（外面）から見た状態を示す図である。
【図１５】図１４に示した部品を使用した動物用装具の使用状態を示す図である。
【図１６】本発明の実施の更に他の形態に係る動物用装具の全体を示す図である。
【図１７】図１６に示した動物用装具の使用状態を示す図である。
【図１８】本発明の実施の更に他の形態に係る動物用装具の全体を示す図である。
【図１９】図１８に示した動物用装具に使用される部品を表面（外面）から見た状態を示す図である。
【図２０】図１８に示した動物用装具の使用状態を示す図である。
【図２１】本発明の実施の更に他の形態に係る動物用装具の全体を示す図である。
【図２２】図２１に示した動物用装具の使用状態を示す図である。
【発明を実施するための形態】
【００１１】
以下に、本発明の実施の形態に係る動物用装具について説明する。本動物用装具は主として犬に装着して使用されるものであり、使用例としては、例えば膝蓋部に障害を発症した犬に使用する場合が考えられ、更に膝関節に障害が発生しそうな犬に予防的に使用したり、膝蓋部、大腿骨や脛骨の骨折の手術後に骨が安定するまでの間に使用したりする場合が考えられる。
【００１２】
図１は、本発明の実施の一形態に係る動物用装具１０を示すものである。
【００１３】
本動物用装具１０は、動物の患足の膝部に取り付けて膝部の屈伸を禁止又は制限する膝装具部２０と、動物の胴体に装着され前記膝装具部１０を動物の胴体に保持する胴体装着部３０とを備えて概略構成される。膝装着具部２０や胴体装着部３０は、おおよその部分は、メッシュ素材を縁取り縫い加工をした材料が用いられ、部分的に表面が起毛されたシート状材料や金属材料やプラスチック材料などが使用されている。
【００１４】
前記胴体装着部３０は、動物の頭部の付け根付近から臀部に向けて背中側に配置される背部装着部３１と、当該背部装着部３１を少なくとも前足に近接する胴体又は前足又は首部の少なくとも１つに連係させて動物の胴体に装着する背部装着部の連係部３２とを備えている。
【００１５】
背部装着部の連係部３２は、動物の胴体の周りに沿って巻かれて配置される胴回し部３２ａと、この胴回し部３２ａに着脱自在に取り付けられ動物の前足の付け根付近に沿って巻かれる前足回し部３２ｂとを備えている。
【００１６】
胴回し部３２ａには、表面に面ファスナーが形成された係合部３２ｆ、表面に面ファスナーが形成された係合部３２ｇ、この係合部３２ｇが着脱自在に係合する面ファスナーが形成された係合部３２ｈが形成されている。
【００１７】
前足回し部３２ｂは、略Ｙ字状をしており、その基端部には、裏面に面ファスナーが形成された係合部３２ｃが取り付けられ、係合部３２ｃが表裏面に面ファスナーが形成された取付部材３２ｅの表面に係合しており、当該係合部材３２ｅは前記胴回し部３２ａに着脱自在に係合させられる。前足回し部３２ｂの二股に分岐した先端部には裏面に面ファスナーが形成された係合部３２ｄが取り付けられている。
【００１８】
前記背部装着部の連係部３２の胴回し部３２ａには背部配置部基端部材３１ａが一体に形成されて略Ｔ字状となっており、背部配置部基端部材３１ａの先端部には、背部配置部先端部材３１ｂが面ファスナーによる取付部を介して着脱自在に取り付けられている。
【００１９】
前記膝装具部２０は、その端部で着脱自在に係合されて大腿部の周りに筒状に配置される大腿部装着部２１と、その端部で着脱自在に係合されて下腿部の周りに筒状に配置される下腿部装着部２２と、前記大腿部装着部２１と前記下腿部装着部２２とを架橋する連結部２３ａ及び膝関節に対応する位置に形成されたヒンジ部２３ｂを備えた連結部材２３とを備えている。前記大腿部装着部２１は、大腿部装着部の連係部２４を介して前記背部装着部３１の背部配置部先端部材３１ｂの先端部に着脱自在に係合して連係させられている。
【００２０】
図２及び図３に示すように、膝装着具部２０の大腿部装着部２１はシート状材料から形成されており、動物の後ろ足の内股形状に対応して湾曲させられた内股対応部２１ａと、内股よりも外側の外股に対応した形状の外股対応部２１ｂとが形成されている。大腿部装着部２１の端部には裏面に面ファスナーが形成された係合部２１ｃが形成され、この係合部２１ｃは反対側の端部に着脱自在に係合させられる。大腿部装着部２１には大腿部装着部２１を背部装着部３１に連係させる連係部２４がその端部に形成された係合部２４ｂにより係合させられており、他端の係合部２４ａで背部装着部３１に係合させられる。
【００２１】
同様に、下腿部装着部２２もシート状材料から形成されており、動物の後ろ足の下腿部に対応した形状を呈している。その端部には裏面に面ファスナーが形成された係合部２２ａが形成され、この係合部２２ａは反対側の端部に着脱自在に係合させられる。
【００２２】
前記連結部材２３の連結部２３ａがビス２３ｄにより固定され、連結部２３ｂがビス２３ｅにより固定され、連結部２３ａ，２３ｂの端部は重合されてヒンジ部２３ｃが形成されている。
【００２３】
図４〜図６に基づいて連結部材２３について詳しく説明する。図４に示すように、大腿部装着部２１に固定される連結部２３ａは板状形状をしており、大腿部装着部２１に取り付けられるステー部分２３ｆの端部に円板部２３ｇが一体に連設されており、円板部２３ｇの中央部に軸支部となる貫通孔２３ｉが形成され、かつ、周方向に沿って複数個のねじ穴２３ｈが形成されている。同様に、図５に示すように、下腿部装着部２２に固定される連結部２３ｂは板状形状をしており、下腿部装着部２２に取り付けられるステー部２３ｊの端部に円板部２３ｋが一体に連設されており、円板部２３ｋの中央部軸支部となる貫通孔２３ｍが形成され、かつ、周方向に揺動規制設定部となる貫通した長穴２３ｎが形成され、かつ、揺動禁止設定部となる貫通孔２３ｐが形成されている。
【００２４】
図６に示すように、円板部２３ｇの貫通孔２３ｉと円板部２３ｋの貫通孔２３ｍとを連通するように、円板部２３ｇと円板部２３ｋとを重ね合わせ、貫通孔２３ｉと貫通孔２３ｍにボルト２３ｑを挿入して締め付けてボルト２３ｑを中心として揺動可能な状態とする。揺動を禁止する場合には、図示するように、貫通孔２３ｐ内に止めネジ２３ｒを挿入して円板部２３ｇに形成されたねじ穴２３ｈにねじ込む。揺動を所望の範囲で許容する場合には、図示しないが、止めネジ２３ｒは貫通孔２３ｐ内には挿入しないで、円板部２３ｋの長穴２３ｎ内に挿入し円板部２３ｇのねじ穴２３ｈのいずれかに止めネジ２３ｒをねじ込む。
【００２５】
図７に基づいて、本動物用装具１０を使用する方法について説明する。
【００２６】
先ず、胴体装着部３０を動物の胴体に装着する。すなわち、背部装着部３１の背部配置部基端部材３１ａを動物の背部に配置し、背部配置部基端部材３１ａに連設された胴回し部３２ａを動物の胴体に回して連係部３２ｇを取付部３２ｅに係合させて胴回し部３２ａを胴体にフィットさせて装着する。次に前足回し部３２をその先端に形成された係合部３２ｄを胴回し部３２ａに形成された係合部３２ｆに係合させて前足回し部３２を配置する。さらに、背部配置部基端部材３１ａの先端に背部配置部先端部材３１ｂを係合させて接続し、背部配置部先端部材３１ｂの先端部が臀部後方に位置するように係合位置を調整する。
【００２７】
大腿部装着部２１及び下腿部装着部２２に取り付けられている連結部２３ａ，２３ｂの先端の円板部２３ｇ，２３ｋで接合してボルト２３ｑにより連結し、揺動を禁止するか、揺動を制限するかに応じて止めネジ２３ｒを貫通孔２３ｐ又は長穴２３ｎ内に挿入してセットする。
【００２８】
次いで、大腿部装着部２１をその係合部２１ｃを端部に係合させて筒状にして係合位置を調整して大腿部にフィットさせる。同様に、下腿部装着部２２をその係合部２２ｃを端部に係合させて筒状にして係合位置を調整して下腿部にフィットさせる。
【００２９】
大腿部装着部の連係部２４を、その取付部２４ｂ大腿部装着部２１に着脱自在に係合させ、さらに、係合部２４ａを背部装着部３１の背部配置部先端部材３１ｂの先端部に着脱自在に係合させる。この際、膝装着具部２０にずれ落ちが生じないように、係合部２４ａの係合位置を調整して、大腿部装着部２１及び下腿部装着部２２に適度に引張力が作用した状態とする。
【００３０】
図８〜図１０に、連結部材２３の代わりに使用することができる連結部材について説明する。図８に示すように、大腿部装着部２１に固定される連結部３３ａを示す。連結部３３ａは板状形状をしており、大腿部装着部２１に取り付けられるステー部分３３ｆを備え、ステー部３３ｆの先端中央部に貫通孔３３ｉが形成されている。同様に、図９に示すように、下腿部装着部２２に固定される連結部３３ｂは板状形状をしており、下腿部装着部２２に取り付けられるステー部３３ｊに半円板３３ｋを連設し、半円板部３３ｋの中心に貫通孔３３ｍが形成され、周方向に揺動規制設定部及び揺動禁止設定部となる貫通した長穴３３ｎが形成されている。
【００３１】
図１０に示すように、ステー部３３ｆの先端に形成された貫通孔３３ｉと半円板部３３ｋに形成された貫通孔３３ｍとが連通するように、ステー部３３ｆと半円板部３３ｋとを重ね合わせ、貫通孔３３ｉと貫通孔３３ｍにボルト３３ｑを挿入して締め付けてボルト３３ｑで揺動可能とする。揺動を禁止する場合には、図示するように、長穴３３ｎ内に止めボルト３３ｒを挿入して、ステー部３３ｆの側面に当接する状態として、ボルト３３ｒの一端にナットをねじ込んでボルト３３ｒを半円板部３３ｋに固定する。揺動を所望の範囲で許容する場合には、図示しないが、長穴３３ｎ内に止めボルト３３ｒを挿入して、ステー部３３ｆの側面に所望の隙間をあけた状態として、ボルト３３ｒの一端にナットをねじ込んでボルト３３ｒを半円板部３３ｋに固定する。
【００３２】
図１１及び図１２に、本発明の実施の他の形態に係る膝装着具部４０を示す。前記膝装着具部２０と同一要素には同一符号を付して説明を省略する。
【００３３】
本膝装着具部４０は、前記膝装着具部２０と同様に、大腿部装着部４１と下腿部装着部４２とからなっている。大腿部装着部４１は周方向に２個に分割されたシート状部材４１ｄ，４１ｅからなり、各端部に形成された係合部４１ｃを隣接する端部に着脱自在に係合して筒状に形成するものである。同様に、下腿部装着部４２は周方向に２個に分割されたシート状部材４２ｄ，４２ｅからなり、各端部に形成された係合部４２ａを隣接する端部に着脱自在に係合して筒状に形成するものである。
【００３４】
図１３に示すように、背部装着部３１や胴回し部３２ａなどを動物に装着した後、大腿部装着部４１のシート部材４１ｄ，４１ｅをそれぞれに形成された係合部４１ｃをそれぞれの端部に係合させて筒状にし、その係合位置を調整して大腿部にフィットさせる。同様に、下腿部装着部４２のシート部材４２ｄ，４２ｅをそれぞれに形成された係合部２２ｃをそれぞれの端部に係合させて筒状にし、その係合位置を調整して下腿部にフィットさせる。大腿部装着部の連係部２４を大腿部装着部４１に係合させ、係合部２４ａを背部配置部先端部材３１ｂの先端部に係合させる。この際、膝装着具部４０のずれ落ちが生じないように、連係部２４の係合位置を調整して、大腿部装着部４１及び下腿部装着部４２に適度に引張力が作用した状態とする。
【００３５】
図１４及び図１５に、本発明の実施の更に他の形態に係る膝装着具部５０を示す。前記膝装着具部２０と同一要素には同一符号を付して説明を省略する。
【００３６】
本膝装着具部５０は、前記膝装着具部２０と同様に、大腿部装着部２１と下腿部装着部２２と、大腿部装着部２１と下腿部装着部２２とを連結する連結部材４３とを備えている。
【００３７】
ここで、連結部材４３は、大腿部装着部２１に取り付けられた取付ベース部４３ｃと、貫通する長穴４３ｄが形成され取付ベース部４３ｃ上に載置される連結部４３ａと、連結部４３ａに連設された円板部とを備え、下腿部装着部２２に取り付けられた取付ベース部４３ｇと、貫通する長穴４３ｆが形成され取付ベース部４３ｇ上に載置される連結部４３ｂと、連結部４３ｂに連設された円板部とを備えている。連結部４３ａは長穴４３ｄ内に挿入された止めネジ４３ｅにより取付ベース部４３ｃにスライド自在に取り付けられ、連結部４３ｂは長穴４３ｆ内に挿入された止めネジ４３ｈにより取付ベース部４３ｇにスライド自在に取り付けられている。
【００３８】
止めネジ４３ｅ，４３ｈを緩めて取付ベース部４３ｃ，４３ｇ上で連結部４３ａ，４３ｂをスライドさせて再固定して、連結部４３ａ，４３ｂの長さを調整することができ、同種の動物の個体差や異種の動物の体型に応じて連結部材４３を調整して使用することができる。
【００３９】
図１５に示すように、背部装着部３１などを動物に装着した後、大腿部装着部２１及び下腿部装着部２２を係合位置を調整して大腿部及び下腿部にフィットさせ、大腿部装着部の連係部２４を大腿部装着部２１に係合させた後に背部配置部先端部材３１ｂに着脱自在に装着する。
【００４０】
図１６に基づいて、本発明の実施の更に他の形態に係る動物用装具６０について説明する。図１に示す実施の形態に係る動物用装具１０の変形例であり、動物用装具１０と同一要素には同一符号を付して説明を省略する。
【００４１】
本動物用装具６０は、動物用装具１０に、患足に隣接する健足の周りに配置される健足装着部６１を付設したものである。健足装着部６１はシート状部材からなり端部に形成された係合部６１ａを端部に着脱自在に係合させて健足の大腿部に沿わせて筒状にされるものである。健足装着部６１の上端部には、健足装着部６１を背部装着部３１の後端部に着脱自在に連係する健足装着部の連係部６１ｂが一体に形成され、その先端には裏面に面ファスナーが形成された係合部６１ｃが形成されている。
【００４２】
図１７に示すように、動物用装具１０と同様に、動物に胴体装着部３０を装着し、患足に膝装着具部２０を装着する。この後、健足に健足装着部６１を巻き付けて係合部６１ａを端部に着脱自在に係合させて健足装着部６１を大腿部に装着する。次に、健足装着部の連係部６１ｂを、係合部６１ｃを背部装着部３１の背部配置部先端部材３１ｂに着脱自在に係合させて取り付ける。この際、膝装着具部２０がずり落ちないように、背部装着部３１及び膝装着具部２０に若干の引張力が作用するように健足装着部の連係部６１ｂの係合位置を調整する。
【００４３】
図１８及び図１９に基づいて、本発明の実施の更に他の形態に係る動物用装具７０について説明する。本実施の形態の動物用装具７０では、大腿部装着部の連係部２４とは別の部材からなる大腿部装着部の保持部７１を付設したものである。図１に示す実施の形態と同様の要素には同一符号を付して説明を省略する。
【００４４】
大腿部装着部の保持部７１は、健足側の胴体側面側に位置する背部装着部の連係部３２から胴体に対して斜めに交差し腹部を経由して大腿部装着部２１に至り係合部７１ｆで着脱自在に連係させられる交差部７１ａと、交差部７１ａの中間部７１ｅから背部装着部３１の背部配置部先端部材３１ｂに向けて配置させられ係合部７１ｄにより着脱自在に連係される吊り部７１ｂとを備える。
【００４５】
図２０に示すように、胴体装着部３０及び膝装着具部２０を装着した後に、大腿部装着部の保持部７１を交差部７１ａの先端部に形成された連係部７１ｃを背部装着部の連係部３２の胴回し部３２ａに着脱自在に係合するとともに、他端に形成された連係部７１ｆを大腿部装着部２１に係合させて取り付け、吊り部７１ｂをその先端に形成された係合部７１ｄを背部装着部３１の背部配置部先端部材３１ｂに着脱自在に係合させて取り付ける。この大腿部装着部の保持部７１を取り付ける際には、係合部７１ｃ，７１ｄ，７１ｆの係合位置を調整することにより、大腿部装着部の保持部７１に適度の引張力を作用させて、大腿部装着部２１を引っ張り上げるようにして、膝装着具部２０がずり落ちてしまうことを抑制する。
【００４６】
図２１に、本発明の実施の更に他の形態に係る動物用装具を示す。胴体装着部３０の代わりに、胴体装着部８０を設けたものである。図１などに示す動物用装具と同一要素には同一符号を付して説明を省略する。
【００４７】
本胴体装着部８０は背部装着部８１と背部装着部の連係部８２とを備えている。背部装着部８１は、背部配置部基端部材８１ａと背部配置部先端部材８１ｂとからなり、背部配置部基端部材８１ａは先端に形成された係合部８１ｃで前記背部装着部の連係部８２の胴回し部８２ａに着脱自在に係合させられ、背部配置部基端部材８１ａは背部配置部基端部材８１ａの先端に着脱自在に係合させられる。
【００４８】
図２２に示すように、先ず胴回し部８２ａを胴回りに巻き付けて装着し、前足回し８２ｂを前足に装着する。背部配置部基端部材８１ａを健足側の胴回し部８２ａの側面に係止部８１ｃを介して着脱自在に係止する。さらに、背部配置部先端部材８１ｂの先端が臀部後部に対応する位置に配置されるように、背部装着部８１を胴体に斜めに交差するように配置する。この後、患足の大腿部に取り付けられている大腿部装着部２１に連係されている大腿部装着部の連係部２４を背部配置部先端部材８１ｂに着脱自在に係合させる。この際、大腿部装着部２１に引張力が付与されるように係合位置を調整して、膝装着具部２０がずれ落ちることを抑制する。
【符号の説明】
【００４９】
１０    動物用装具
２０    膝装着具部
２１    大腿部装着部
２２    下腿部装着部
２３    連結部材
２３ａ，２３ｂ  連結部
２３ｃ  ヒンジ部
２３ｈ  ねじ穴
２３ｉ，２３ｍ  貫通孔
２３ｎ  長穴
２３ｐ  貫通孔
２３ｑ  ボルト
２３ｒ  止めネジ
２４    大腿部装着部の連係部
３０    胴体装着部
３１    背部装着部
３２    背部装着部の連係部
３２ａ  胴回し部
３２ｂ  前足回し部
４１    大腿部装着部
４１ｄ，４１ｅ  シート部材
４２    下腿部装着部
４２ｄ，４２ｅ  シート部材
４３  連結部材
４３ａ，４３ｂ  連結部
４３ｃ，４３ｇ  取付ベース部
４３ｄ，４３ｆ  長穴
４３ｅ，４３ｈ  止めネジ
６１    健足装着部
６１ｂ  健足装着部の連係部
７１    大腿部装着部の保持部
７１ａ  交差部
７１ｂ  吊り部
８０    胴部装着部
８１    背部装着部
８２    背部装着部の連係部
８２ａ  胴回し部
【図１】
2011161065.tif 000003
【図２】
2011161065.tif 000004
【図３】
2011161065.tif 000005
【図４】
2011161065.tif 000006
【図５】
2011161065.tif 000007
【図６】
2011161065.tif 000008
【図７】
2011161065.tif 000009
【図８】
2011161065.tif 000010
【図９】
2011161065.tif 000011
【図１０】
2011161065.tif 000012
【図１１】
2011161065.tif 000013
【図１２】
2011161065.tif 000014
【図１３】
2011161065.tif 000015
【図１４】
2011161065.tif 000016
【図１５】
2011161065.tif 000017
【図１６】
2011161065.tif 000018
【図１７】
2011161065.tif 000019
【図１８】
2011161065.tif 000020
【図１９】
2011161065.tif 000021
【図２０】
2011161065.tif 000022
【図２１】
2011161065.tif 000023
【図２２】
2011161065.tif 000024